(57)【要約】  【課題】本発明は、歌唱者の歌唱音声から抽出される声紋情報に基づいて歌唱データを管理する歌唱採点機能を備えるカラオケシステムに関し、選曲時に、利用者による何らの操作をも必要とせず、また、歌唱データを利用者毎に好適に管理することを目的とする。  【解決手段】声紋認証手段５１が入力した歌唱音声から声紋を解析し、歌唱者特定手段４２がホスト装置よりデータベースに登録された声紋情報を参照して対応の利用者ＩＤを取得し、歌唱データ管理手段４３が現に歌唱区間毎に歌唱した歌唱者毎の利用者ＩＤに対応させて歌唱採点データを記憶部５３に記憶して管理する構成とする。  【選択図】  図２
2008164966.tif 000002
【特許請求の範囲】
【請求項１】
利用者ＩＤで管理される利用者毎に少なくとも声紋情報が登録されたデータベースにアクセス自在であり、歌唱者の歌唱音声から抽出される声紋情報に基づいて歌唱データを管理する歌唱採点機能を備えるカラオケシステムであって、
歌唱音声入力手段、歌唱者特定手段、歌唱採点手段、歌唱データ管理手段を有するものであり、
前記歌唱音声入力手段は、歌唱者による歌唱楽曲の歌唱音声を入力し、
前記歌唱者特定手段は、入力した前記歌唱音声から声紋を解析し、前記解析された声紋に基づいて、前記データベースに登録された声紋情報を参照して少なくとも対応する歌唱者の利用者ＩＤを取得し、
前記歌唱採点手段は、任意の楽曲を歌唱した際の前記入力した歌唱音声に基づき、当該楽曲における所定の歌唱区間の歌唱による歌唱採点を算出し、
前記歌唱データ管理手段は、現に歌唱した歌唱者毎に、前記特定した利用者ＩＤと歌唱時の歌唱採点データとを対応させて管理する、
ことを特徴とする歌唱採点機能を備えるカラオケシステム。
【請求項２】
請求項１記載の歌唱採点機能を備えるカラオケシステムであって、歌唱される一の歌唱楽曲を複数の利用者が歌唱した場合に、前記歌唱採点手段は、所定の歌唱区間毎に現に歌唱した総ての歌唱者に対して歌唱採点を算出することを特徴とする歌唱採点機能を備えるカラオケシステム。
【発明の詳細な説明】
【技術分野】
【０００１】
本発明は、歌唱者の歌唱音声から抽出される声紋情報に基づいて歌唱データを管理する歌唱採点機能を備えるカラオケシステムに関する。
【背景技術】
【０００２】
近年、カラオケ装置が高機能化してきて、例えば歌唱採点や全国的なランキングを決定するサービスの提供、利用者への歌唱録音の提供、歌唱映像の提供等の種々のサービスを提供されるようになってきている。このような状況下で利用者に負担を掛けずにサービス提供できることが望まれる。
【０００３】
従来、カラオケ装置において、例えば選曲予約で利用者に負担を軽減させる手法として、マイクからの音声入力より抽出した声紋データを使用することが、以下の特許文献で提案されている。
【０００４】
【特許文献１】特許第３７０７１１５号公報
【特許文献２】特許第３４２２６８８号公報
【０００５】
上記特許文献１では、マイクからの音声入力から声紋情報を抽出して顧客のＩＤ番号を特定し、当該ＩＤ番号から選曲の履歴情報を個人情報ＤＢ（データベース）に追加され、カラオケ演奏処理後に採点結果を当該個人情報ＤＢの選曲予約した顧客のＩＤ番号に対応させて追加することが提案されている。
【０００６】
また、上記特許文献２では、利用者のＩＤカードから個人ＩＤを取得し、当該個人ＩＤに基づいてホスト装置より選曲履歴と声紋データとをダウンロードして記憶しておき、マイクから採取した利用者の入力音声から声紋データを抽出し、これを用いて記憶しておいた声紋データを特定して選曲履歴を表示させることが提案されている。
【発明の開示】
【発明が解決しようとする課題】
【０００７】
しかしながら、上記特許文献１では採点結果等の歌唱データが選曲予約したＩＤ番号に対応されて追加されることから、グループでカラオケシステムを利用する場合に選曲した利用者自らが歌唱するとは限らず、また、他の仲間に歌って欲しい場合など選曲者（利用者）と歌唱者とが必ずしも一致しないこともあって歌唱データが反映されない場合もあるという問題がある。
【０００８】
また、上記特許文献２では、利用者を特定するにあたって利用者ＩＤカードを読み込ませ、或いはＩＤ番号とパスワードを入力させる必要があることから、利用者毎に歌唱した楽曲の歌唱データを管理するためには、選曲時に、利用者がその都度ボタンやアイコンで指定するという操作を要求するものである。
【０００９】
そこで、本発明は上記課題に鑑みなされたもので、選曲時に、利用者による何らの操作をも必要とせず、また、歌唱データを利用者毎に好適に管理する歌唱採点機能を備えるカラオケシステムを提供することを目的とする。
【課題を解決するための手段】
【００１０】
上記課題を解決するために、請求項１の発明では、利用者ＩＤで管理される利用者毎に少なくとも声紋情報が登録されたデータベースにアクセス自在であり、歌唱者の歌唱音声から抽出される声紋情報に基づいて歌唱データを管理する歌唱採点機能を備えるカラオケシステムであって、歌唱音声入力手段、歌唱者特定手段、歌唱採点手段、歌唱データ管理手段を有するものであり、前記歌唱音声入力手段は、歌唱者による歌唱楽曲の歌唱音声を入力し、前記歌唱者特定手段は、入力した前記歌唱音声から声紋を解析し、前記解析された声紋に基づいて、前記データベースに登録された声紋情報を参照して少なくとも対応する歌唱者の利用者ＩＤを取得し、前記歌唱採点手段は、任意の楽曲を歌唱した際の前記入力した歌唱音声に基づき、当該楽曲における所定の歌唱区間の歌唱による歌唱採点を算出し、前記歌唱データ管理手段は、現に歌唱した歌唱者毎に、前記特定した利用者ＩＤと歌唱時の歌唱採点データとを対応させて管理する、構成とする。
【００１１】
請求項２の発明では、前記歌唱データ管理手段は、歌唱される一の歌唱楽曲を複数の利用者が歌唱した場合に、前記歌唱採点手段は、所定の歌唱区間毎に現に歌唱した総ての歌唱者に対して歌唱採点を算出する構成である。
【発明の効果】
【００１２】
本発明によれば、入力した歌唱音声から声紋を解析してデータベースより登録された声紋情報を参照して対応する歌唱者の利用者ＩＤを取得し、現に歌唱した歌唱者毎に、当該利用者ＩＤに対応させて歌唱区間毎の歌唱による歌唱採点データを管理する構成とすることにより、利用者による何らの操作をも必要とせずに、何れの利用者の選曲であっても歌唱者を利用者ＩＤで特定することができ、歌唱データを利用者毎に好適に管理することができるものである。
【発明を実施するための最良の形態】
【００１３】
以下、本発明の最良の実施形態を図により説明する。
図１に、本発明に係る歌唱採点機能を備えるカラオケシステムを位置付ける構成説明図を示す。図１（Ａ）は通信ネットワークを使用して本システムを構成させた場合のネットワーク模式図、図１（Ｂ）はホスト装置の概要ブロック構成図、図１（Ｃ）は顧客データベースの説明図である。図１（Ａ）において、ホスト装置１１はカラオケシステムの一部を構成するものとして、通信ネットワーク１２を介して所定数のカラオケ演奏端末１３（１３Ａ〜１３Ｎ）を管理するものであり、相互にデータ授受自在に接続されたものである。上記通信ネットワーク１２としては、例えば、一般公衆電話回線やこれを用いたＡＤＳＬや光通信回線或いはインターネット、さらにはＬＡＮがあるが、インターネット上に構築されるＶＰＮが好ましい。
【００１４】
ホスト装置１１は、図１（Ｂ）に示すように、少なくとも送受信手段２１、制御手段２２、データ処理手段２３及び顧客データベース（ＤＢ）２４を備える。上記送受信手段２１は、各カラオケ演奏端末１３（１３Ａ〜１３Ｎ）との通信（データ授受）を行うために、通信ネットワーク１２の通信方式と整合性をとるための例えば物理的な通信用回路やプラットフォーム等のソフトウエアにより構成される。上記制御手段２２は、当該ホスト装置１１を統括的に制御するもので、例えば物理的なＣＰＵであり、図示しないＲＯＭに格納されているプログラムのアルゴリズム処理を行う。
【００１５】
上記データ処理手段２３は、顧客ＤＢ２４に対して所定のデータを抽出し、変更し、若しくは追加する処理を行うプログラムであり、図示しないＲＡＭに展開されて実行される。上記顧客ＤＢ２４は、利用者ＩＤで管理される利用者毎に少なくとも声紋情報が登録されたデータベースであり、一例として図１（Ｃ）に示すように、利用者ＩＤ、氏名、セカンドネーム、住所、電話、年齢、性別、職業、登録者の顔写真等のイメージファイル名、声紋データファイル名が関連付けられ、当該イメージデータ及び声紋データは当該顧客ＤＢ２４中に記憶されているものである。なお、図示しないが、顧客ＤＢ２４には選曲履歴や歌唱した楽曲（楽曲コード）の歌唱採点結果の情報が登録されている。
【００１６】
続いて、図２に、本発明のラオケシステムに係るカラオケ演奏端末の第１構成のブロック構成図を示す。図２に示すカラオケ演奏端末１３は、主要装置としてのカラオケ装置３０を有するもので、バス３１、中央制御部３２、ＲＯＭ３３、ＲＡＭ３４、音楽曲出力部３５、Ａ／Ｄ変換部３６、再生制御部３７、楽曲ＤＢ（楽曲データベース）３８、映像ＤＢ３９、送受信部４０、歌唱採点手段４１、歌唱者特定手段４２及び歌唱データ管理手段４３を適宜備える。
【００１７】
また、当該カラオケ装置３０に有線及び無線で外部接続されるものとして、表示部４４、ミキシングシステム４５、マイク４６、スピーカ４７を備える。そして、上記歌唱者特定手段４２は声紋認証手段５１を備え、上記歌唱データ管理手段４３は記憶部５３及び歌唱採点表示制御手段５４を備える。なお、上記各構成について、本発明の要旨と直接関連しない要素部分であっても、従前のカラオケ装置においても大部分が適用可能であることを示すために、装置全体を説明する。
【００１８】
中央制御部３２は、このシステムを統括的に処理制御する物理的なＣＰＵであり、ＲＯＭ３３に記憶されているプログラムに基づくアルゴリズム処理を行う。上記ＲＡＭ３４は、種々のプログラムを展開、実行させるための作業領域としての役割をなすもので、例えば半導体メモリで構成され、仮想的にハードディスク上に構築される場合をも含む概念である。
【００１９】
上記音楽曲出力部３５は、楽曲コードで楽曲ＤＢ３８より抽出された演奏データをデジタル再生してミキシングシステム４５に出力する電子回路である。上記Ａ／Ｄ変換部３６は、マイク４６より入力される音声信号をデジタル信号に変換してミキシングシステム４５に送出すると共に、声紋認証手段５１に送出する電子回路である。上記マイク４６及びＡ／Ｄ変換部３６により音声入力手段が構成される。当該ミキシングシステム４５は、上記Ａ／Ｄ変換部３６より入力したデジタル信号の歌唱音声データと、当該音楽曲出力部３５より送られてくるデジタル信号の演奏データをミキシングし、アナログ信号に変換すると共に増幅してスピーカ４７より出力させるものである。
【００２０】
上記再生制御部３７は、演奏時に、選択されて楽曲ＤＢ３８より抽出された楽曲データのうちの歌詞テロップデータ（歌詞文字データ）を当該楽曲の演奏データに同期させて表示部４４に出力すると共に、映像ＤＢ３９より抽出された当該楽曲に対応された背景映像データを演奏データに同期させて表示部４４に出力する電子回路である。なお、上記表示部４４としては、例えば、プロジェクタスクリーン、ブラウン管（ＣＲＴ）ディスプレイ、液晶ディスプレイ（ＬＣＤ）、プラズマディスプレイ（ＰＤＰ）等がある。
【００２１】
上記楽曲ＤＢ３８は、演奏データ（ＭＩＤＩデータ）及び歌詞テロップデータが同期されて構成される楽曲データ（ファイル）について楽曲コードをファイル名としてそれぞれ格納したデータベースである。楽曲データはそれぞれの楽曲の演奏をデジタル的に表現したデータであり、歌詞テロップデータは楽曲データに同期された楽曲の歌詞文字データである。上記映像ＤＢ３９は、演奏される楽曲に対応した背景映像が、当該楽曲の楽曲コードに対応した映像ファイルとして所定数格納したデータベースである。
【００２２】
上記送受信部４０は、上記ホスト装置１１と上記通信ネットワーク１２を介してデータ授受を行うためのもので、通信方式と整合性をとるための例えば物理的な通信用回路やプラットフォーム等のソフトウエアにより構成されるものである。
【００２３】
上記歌唱採点手段４１は、任意の楽曲を歌唱した際の前記入力した歌唱音声に基づき、当該楽曲における所定の歌唱区間の歌唱による歌唱採点を算出するプログラムであり、ＲＡＭ３４に展開されて実行される。ここで、歌唱区間とは、１フレーズ単位、数フレーズ単位若しくは歌詞１文字を含む所定歌詞文字数毎をいい、任意に設定することができる。例えば採点テーブルを備え、選択された楽曲元データに基づいて音楽曲出力部３５でデジタル再生された楽曲の主旋律のピッチ基準条件と、マイク４６より入力されてくる歌唱データをデジタル変換したデジタル歌唱データから抽出した歌唱ピッチとを上記採点テーブルを参照して比較し、これを例えば１小節ごとの区間毎の比較した結果の得点として例えば平均することにより採点結果とするものである。
【００２４】
上記歌唱者特定手段４２は、入力した歌唱音声デジタルデータから声紋を解析し、解析された声紋に基づいて、顧客ＤＢ２４に登録された声紋情報を参照して少なくとも対応する歌唱者の利用者ＩＤを取得するプログラムであり、ＲＡＭ３４に展開されて実行される。ここでは、利用者ＩＤの他に氏名をも取得する。
【００２５】
ここで、上記声紋認証手段５１は、入力した歌唱音声デジタルデータから声紋を解析するプログラムであるが、チップ化されたものでもよい。近年、声紋認証は著しく進歩してきており、特別の機材を必要とせずにマイクに入力された音声の時間、周波数、強度をグラフ化することによって指紋のような特徴的パターンを抽出することができるものであり、これに基づいて個人認証を行うことができ、携帯電話などの小型の通信機器に専用チップないしソフトウエアを実装させたインタフェース若しくはスタンドアローンで即座の個人認証を可能としている。このような声紋認証技術として、例えば特許第３４２２６８８号公報や特許第３４８２３６８号公報に記載されたものが適用できる。
【００２６】
そして、当該歌唱データ管理手段４３の備える歌唱採点表示制御手段５４は、当該記憶部５３に記憶された利用者ＩＤ毎の歌唱採点データファイルを作成して表示部４４にて表示させるプログラムであり、ＲＡＭ３４に展開されて実行される。なお、歌唱データ管理手段４３について、本実施形態では、記憶部５３に記憶した歌唱時の歌唱採点データを適宜な時期（歌唱中、曲間、又は全歌唱の終了後）に表示させる場合を示すが、歌唱履歴としてホスト装置１１にアクセスして顧客ＤＢ２４の対応利用者ＩＤに関連付けて登録する場合も含まれる。
【００２７】
なお、図示しないが、当該カラオケ装置３０には、利用者による選択した楽曲の楽曲コードを直接入力するためのものや、演奏楽曲、歌唱音声に対する種々の調節を行うボタンやツマミ類が可変抵抗器等の電子素子に直結された操作パネルも接続され、当該操作パネルはエコーや左右バランス、スピーカ４７からの出力音量のボリウム等を備える。ところで、カラオケ演奏端末１３をスタンドアローンのカラオケシステムとして適用させる場合には上記顧客ＤＢ２４を備えさせる構成とすることにより実現することができるものである。
【００２８】
そこで、図３に図２のカラオケ演奏端末による歌唱データ管理の処理フローチャートを示すと共に、図４に図２のカラオケ演奏端末による歌唱データ表示形態の説明図を示す。図３において、まず、選曲された楽曲のカラオケ演奏が開始されると（ステップ（Ｓ１））、Ａ／Ｄ変換部３６において、マイク４６から入力された歌唱音声をデジタル変換し、ミキシングシステム４５に送出すると共に、声紋認証手段５１に送出する（Ｓ２）。ミキシングシステム４５では、Ａ／Ｄ変換部３６より入力したデジタル信号の歌唱音声データと、当該音楽曲出力部３５より送られてくるデジタル信号の演奏データをミキシングし、アナログ信号に変換すると共に増幅してスピーカ４７より出力させる。
【００２９】
声紋認証手段５１では、上記Ａ／Ｄ変換部３６からの音声データに基づいて、演奏中の歌唱楽曲の所定歌唱区間で当該歌唱者の声紋データを抽出して特定し（Ｓ３）、歌唱者特定手段４２において、声紋認証手段５１で特定した声紋データに基づき、ホスト装置１１に対して顧客ＤＢ２４に登録されている当該声紋データの合致する利用者ＩＤ及び氏名を要求し、当該ホスト装置１１より当該声紋データに合致した利用者ＩＤ及び氏名を取得して記憶部５３に記憶する（Ｓ４）。
【００３０】
カラオケ演奏中では、歌唱採点手段４１が、所定の歌唱区間毎に、現に歌唱した歌唱者の歌唱採点の算出が行われ、算出された歌唱採点のデータを当該利用者ＩＤに対応付けて記憶部５３に一旦記憶しておく（Ｓ５）。そこで、選曲楽曲のカラオケ演奏が終了すると（Ｓ６）、歌唱採点手段４１において全歌唱区間の全歌唱採点の算出が行われ、歌唱データ管理手段４３が当該歌唱採点と当該歌唱楽曲とを現に歌唱した歌唱者の利用者ＩＤに対応付けて記憶部５３に記憶する（Ｓ７）。
【００３１】
そして、歌唱採点表示制御手段５４において、所定時期（歌唱中、曲間、又は全歌唱の終了後）に記憶部５３に記憶した利用者ＩＤの歌唱採点のデータファイルを再生制御部３７に送出して表示部４４にて表示させる（Ｓ８）。例えば、図４に示すように、ページ単位（４人の利用であれば４ページ）で利用者ＩＤ毎に歌唱した楽曲名と歌唱採点の結果をそれまでの歌唱分も含めて列挙し、例えば平均の歌唱採点を表示させるものである。なお、適宜、歌唱採点データをログオフ後に歌唱履歴としてホスト装置１１にアクセスして顧客ＤＢ２４の対応利用者ＩＤ及び氏名に関連付けて登録することとしてもよい。
【００３２】
このように、選曲時に、利用者ＩＤカードの読み込みやＩＤ番号、パスワードの入力等の利用者による何らの操作をも必要とせずに、何れの利用者の選曲であっても歌唱者を利用者ＩＤで特定することができ、歌唱データを利用者毎に好適に管理することができるものである。
【００３３】
次に、図５に図２のカラオケ演奏端末による歌唱データ管理の他の処理フローチャートを示すと共に、図６に図５の歌唱データ管理による場合の表示形態の説明図を示す。この実施形態は、一の楽曲のカラオケ演奏内で複数の利用者が別々に歌唱した場合として、当該歌唱した総ての歌唱者の歌唱による歌唱採点の表示を行うものである。この場合、図２における歌唱者特定手段４２において、声紋認証手段５１が例えば歌唱区間毎に歌唱者の声紋データを抽出して一旦ＲＡＭ３４に記憶しておき、当該声紋データがそれまでの歌唱区間の声紋データと比較して異なる都度、利用者ＩＤ及び氏名をホスト装置１１より取得させる処理を行う。また、歌唱採点表示制御手段５４は、演奏された楽曲において歌唱区間毎に歌唱した複数の歌唱者の利用者ＩＤ毎の歌唱採点のデータファイルを作成すると共に、上述の図４に示すような利用者ＩＤ毎の歌唱した全楽曲の歌唱採点のデータファイルを作成する。
【００３４】
図５において、Ｓ１１〜Ｓ１５は、図３のＳ１〜Ｓ５と略同様である。この場合、Ｓ１３において、声紋認証手段５１は現に歌唱している歌唱者の特定した声紋データを一旦記憶しておく（記憶部５３とは限らない）。すなわち、Ｓ１５において、歌唱者特定手段４２が現に歌唱している歌唱者の利用者ＩＤ及び氏名をホスト装置１１より取得して記憶部５３に一旦記憶した後、当該歌唱者特定手段４２が声紋認証手段５１で抽出して特定した歌唱楽曲の歌唱区間毎の当該歌唱者の声紋データを、記憶しておいたそれまでの歌唱区間の声紋データと比較する（Ｓ１６）。
【００３５】
そこで、声紋データの比較によって異なる声紋データの場合には（Ｓ１７）、Ｓ１４に戻り、Ｓ１５、Ｓ１６のようにホスト装置１１より当該歌唱者の利用者ＩＤ及び氏名を取得して記憶部５３に一旦記憶するものであり、利用者ＩＤ毎の歌唱採点の算出と共にカラオケ演奏終了まで繰り返す（Ｓ１８）。カラオケ演奏が終了すると（Ｓ１８）、歌唱採点手段４１において利用者ＩＤ毎に同一楽曲における全歌唱区間の歌唱採点の算出が行われ、歌唱データ管理手段４３が当該全歌唱採点と当該歌唱楽曲とを現に歌唱した歌唱者の利用者ＩＤ毎に対応付けて記憶部５３に記憶する（Ｓ１９）。
【００３６】
そして、歌唱採点表示制御手段５４において、所定時期（歌唱中、曲間、又は全歌唱の終了後）に、同一楽曲のカラオケ演奏中に記憶部５３に記憶した利用者ＩＤ毎の全消費カロリーのデータファイル及び利用者ＩＤ毎の歌唱した全楽曲の歌唱採点のデータファイルを作成して再生制御部３７に送出して表示部４４にて表示させるものである（Ｓ２０）。
【００３７】
表示形態としては、同一楽曲のカラオケ演奏における歌唱した利用者ＩＤ毎の歌唱採点を表示させる場合には、一例として図６に示すように、同一楽曲を歌唱した総ての歌唱者の歌唱採点を列挙させ、利用者ＩＤ毎の歌唱した全楽曲の歌唱採点を表示させる場合には上述の図４に示すように表示させるものである。なお、表示の時期は、例えば、同一楽曲のカラオケ演奏における歌唱した利用者ＩＤ毎の歌唱採点を表示させる場合には歌唱中又は歌唱直後がよく、利用者ＩＤ毎の歌唱した全楽曲の歌唱採点を表示させる場合には歌唱直後（曲間）又は全歌唱の終了後がよい。なお、適宜、歌唱採点のデータをログオフ後に歌唱履歴としてホスト装置１１にアクセスして顧客ＤＢ２４の対応利用者ＩＤ及び楽曲に関連付けて登録することとしてもよいことは、上記同様である。
【００３８】
このように、同一楽曲のカラオケ演奏内で複数の歌唱者が歌唱しても、選曲時に、利用者ＩＤカードの読み込みやＩＤ番号、パスワードの入力等の利用者による何らの操作をも必要とせずに、何れの利用者の選曲であっても歌唱者を利用者ＩＤで特定することができ、歌唱採点である歌唱データを利用者毎に好適に管理することができるものである。
【００３９】
ところで、上記各実施形態では、歌唱者特定手段４２が歌唱中に声紋認証手段５１で解析して特定した声紋データに基づいてホスト装置１１より当該歌唱者の利用者ＩＤ及び氏名を取得する場合を示したが、当該歌唱者特定手段５２においてログオン時などで予め利用者ＩＤカード等で利用者ＩＤを取得し、ホスト装置１１より当該利用者ＩＤに関連づけられた声紋データを取得してＲＡＭ３４においてもよい。この場合、歌唱中に声紋認証手段５１で特定された声紋データに基づきＲＡＭ３４に記憶しておいた声紋データと比較して現に歌唱している歌唱者の利用者ＩＤが特定されるものである。
【産業上の利用可能性】
【００４０】
本発明のカラオケシステムは、利用者が歌唱した歌唱データを履歴とし、また、他に使用するために管理するものに利用可能である。
【図面の簡単な説明】
【００４１】
【図１】本発明に係る歌唱採点機能を備えるカラオケシステムを位置付ける構成説明図である。
【図２】本発明の歌唱採点機能を備えるカラオケシステムに係るカラオケ演奏端末の第１構成のブロック構成図である。
【図３】図２のカラオケ演奏端末による歌唱データ管理の処理フローチャートである。
【図４】図２のカラオケ演奏端末による歌唱データ表示形態の説明図である。
【図５】図２のカラオケ演奏端末による歌唱データ管理の他の処理フローチャートである。
【図６】図５の歌唱データ管理による場合の表示形態の説明図である。
【符号の説明】
【００４２】
１１            ホスト装置
１３            カラオケ演奏端末
２４            顧客ＤＢ
３０            カラオケ装置
４１            歌唱採点手段
４２            歌唱者特定手段
４３            歌唱データ管理手段
５１            声紋認証手段
５３            記憶部
５４            歌唱採点表示制御手段
【図１】
2008164966.tif 000003
【図２】
2008164966.tif 000004
【図３】
2008164966.tif 000005
【図４】
2008164966.tif 000006
【図５】
2008164966.tif 000007
【図６】
2008164966.tif 000008